(57)【要約】【課題】特別な別体がなくとも、簡単に静電気力で掃除できるちりとりを実現することを課題とする。【解決手段】取手部と、前記取手部に接続される先端部と、を含む掃除道具であり、前記先端部は、ゴミを捕獲する捕獲部と、前記捕獲部より内側に位置する帯電部と、前記捕獲部または前記帯電部を支える支持部と、を含み、前記捕獲部と前記帯電部との相対移動で、前記捕獲部に静電気を発生させ、ゴミを集める掃除道具を用いる。さらに、この掃除道具を用いた掃除方法を用いる。【選択図】図１
2015204994.tif 000002
【特許請求の範囲】
【請求項１】
取手部と、
前記取手部に接続される先端部と、を含む掃除道具であり、
前記先端部は、
ゴミを捕獲する捕獲部と、
前記捕獲部より前記掃除道具の内側に位置する帯電部と、
前記捕獲部または前記帯電部を支える支持部と、を含み
前記捕獲部と前記帯電部との相対移動で、前記捕獲部に静電気を発生させ、ゴミを集める
掃除道具。
【請求項２】
前記捕獲部は、前記帯電部の表面に位置しゴミを捕獲する貫通する開口を有し、
前記捕獲部と前記帯電部との摩擦によりそれぞれに逆の静電気が発生する請求項１掃除道具。
【請求項３】
開口を有する前記支持部と、
前記開口に位置し、ゴミを捕獲する前記捕獲部と、
前記支持部に位置し、前記捕獲部の一方面に位置する前記帯電部と、を含み、
前記帯電部と前記捕獲部の一方の面との間の相対移動で静電気が発生し、
前記捕獲部の他方の面にてゴミを収集する請求項１記載の掃除道具。
【請求項４】
前記帯電部は、回転しない第１帯電部と回転する第２帯電部とを含み、
前記第１帯電体と前記第２帯電部との間に位置し、ゴミを捕獲する前記捕獲部と、を含み、
前記第２帯電部の回転により、前記捕獲部に静電気が発生し、ゴミを収集する請求項１記載の掃除道具。
【請求項５】
前記捕獲部は、シート状、または、繊維状で、回転でき、
前記帯電部は、板状であり、
前記支持部は、前記捕獲部と前記帯電部とを支え、
前記捕獲部の回転により、前記捕獲部と前記帯電部との間での摩擦で静電気を発生させ、ゴミを前記捕獲部で集め、前記帯電部で前記ゴミを前記捕獲部から、前記支持部の内部へ集める請求項１記載の掃除道具。
【請求項６】
前記帯電部は、繊維のブロック状であり、前記捕獲部は、シート状であり、柔軟性がある請求項１〜５のいずれか１項に記載の掃除道具。
【請求項７】
前記帯電部は直方体形状であり、
前記直方体形状の表面に前記捕獲部が位置し、被対象物に前記捕獲部が接触され、
前記接触の時には、前記捕獲部と前記捕獲部からはみ出した前記帯電部が、前記被対象物に接触する請求項１〜５のいずれか１項に記載の掃除道具。
【請求項８】
前記捕獲部は、複数の種類繊維からなる請求項１〜５のいずれか１項に記載の掃除道具。
【請求項９】
前記捕獲部は、開口が大きい粗部分と開口が小さい密部分とからなる請求項１〜５のいずれか１項に記載の掃除道具。
【請求項１０】
前記捕獲部は、複数の繊維からなる請求項１〜５のいずれか１項に記載の掃除道具。
【請求項１１】
前記帯電部がマイクロファイバーである請求項１〜５のいずれか１項に記載の掃除道具。
【請求項１２】
請求項１から１１のいずれか１項に記載の掃除道具を用い、
前記捕獲部と前記帯電部との摩擦で逆の静電気を発生させ、
ゴミを、前記捕獲部で集める掃除方法。
【発明の詳細な説明】
【技術分野】
【０００１】
本発明は、掃除道具に関する。特に静電気を用いる掃除道具に関する。
【背景技術】
【０００２】
従来の掃除道具であるモップ１００を図８に示す（特許文献１）。取手１５の先端に保持部１７があり、この保持部１７に先端部１６が取り付けられている。先端部１６を床、カーペット、たたみなどでこすると、先端部１６に静電気が発生する。この静電気の力で、ゴミを先端部１６に付着し、掃除するものである。
【先行技術文献】
【特許文献】
【０００３】
【特許文献１】実登３０９２７１４号公報
【発明の概要】
【発明が解決しようとする課題】
【０００４】
しかしながら、静電気を発生させるために、床を利用しているため、床に依存して掃除状態が変わる。このため、床の種類により静電気が発生しにくい場合では、ゴミを集めにくい。
本発明は、上記従来の課題を解決するもので、床に依存することを少なくし、静電気を発生させ、掃除することができる掃除道具を実現することを課題とする。
【課題を解決するための手段】
【０００５】
前記従来の課題を解決するために、取手部と、前記取手部に接続される先端部と、を含む掃除道具であり、前記先端部は、ゴミを捕獲する捕獲部と、前記捕獲部より内側に位置する帯電部と、前記捕獲部または前記帯電部を支える支持部と、を含み、前記捕獲部と前記帯電部との相対移動で、前記捕獲部に静電気を発生させ、ゴミを集める掃除道具を用いる。
【０００６】
また、上記掃除道具を用い、前記捕獲部と前記帯電部との摩擦で逆の静電気を発生させ、ゴミを、前記捕獲部で集める掃除方法用いる。
【発明の効果】
【０００７】
本発明の掃除道具は、正負逆の静電気力により、ゴミを回収できる掃除道具である。
【図面の簡単な説明】
【０００８】
【図１】（ａ）実施の形態１の掃除道具の正面図、（ｂ）実施の形態１の掃除道具の裏面の網部の平面図、（ｃ）実施の形態１の掃除道具の先端部の拡大正面図
【図２】（ａ）〜（ｄ）実施の形態１の掃除道具の使用中の先端部の拡大正面図、（ｅ）掃除後のゴミの除去を説明する実施の形態１の掃除道具の先端部の拡大正面図
【図３】（ａ）〜（ｅ）実施の形態１の掃除道具の捕獲部と網部との掃除中の状態を示す拡大断面図
【図４】（ａ）実施の形態２のモップの先端部の断面図、（ｂ）実施の形態２のモップの先端部の断面図
【図５】（ａ）実施の形態３のモップの斜視図、（ｂ）〜（ｃ）実施の形態３のモップの網の平面図
【図６】（ａ）実施の形態５のモップの斜視図、（ｂ）実施の形態５のモップの網の平面図、（ｃ）実施の形態５のモップの網の平面図
【図７】（ａ）実施の形態６のモップの斜視図、（ｂ）実施の形態６のモップの先端の長手方向の断面図、（ｃ）実施の形態６のモップの長手方向に垂直方向の断面図、（ｄ）実施の形態６のモップの捕獲部の先端の断面図、（ｅ）実施の形態６のモップの捕獲部を示す図
【図８】従来の掃除道具の斜視図
【発明を実施するための形態】
【０００９】
以下本発明の実施の形態について、図面を参照しながら説明する。なお、この実施の形態によって本発明が限定されるものではない。掃除道具としてモップの例で説明する。
【００１０】
（実施の形態１）
図１（ａ）〜図１（ｃ）は、本発明の実施の形態１の掃除道具を示す。図１（ａ）は、掃除道具であるモップ３０の正面図である。図１（ｂ）は、モップ３０の底面である捕獲部３３を示す。図１（ｃ）は、モップ３０の先端部３２の拡大側面図である。
【００１１】
モップ３０は、取手１５と、先端部３２とからなる。取手３１は、掃除時、人が握るところである。先端部３２は、モップ３０の下部で、床面などと接触し、ゴミを集めるところである。
この先端部３２には、図１（ｂ）に示す捕獲部３３が設けられている。図１（ｃ）に先端部３２の拡大断面図を示す。
【００１２】
先端部３２は、支持部３６と帯電部３４と捕獲部３３とからなる。
支持部３６は、帯電部３４を支えるものである。支持部３６は、取手３１に回転可能に連結されている。床面にそうように角度が変化できる。
【００１３】
帯電部３４は、捕獲部３３との摩擦で静電気を発生させるものである。ゴミを保持する部分でもある。静電気力でゴミを吸着する。捕獲部３３からゴミを引き取り、保持する。帯電部３４は、捕獲部３３との関係で逆の静電気を帯びる。帯電部３４は、捕獲部３３を帯電させる。
捕獲部３３は、柔軟性のあるシート状である。床面と摩擦し静電気を帯び、ゴミを回収する部分である。網体であり、貫通する開口を有し、開口を通じて、ゴミを帯電部３４へ渡す。網の穴径は１〜５ｍｍ程度、３ｍｍを使用した。１例として、ナイロンシートの網体を用いることができる。
【００１４】
ここで、捕獲部３３と帯電部３４とは、摩擦帯電系列の材料において離れた２つの材料でそれぞれ形成される。両者の摩擦、および、床の摩擦により、両者は逆の静電気を帯び、ゴミを回収する。なお、摩擦帯電系列は、プラスに帯電しやすいものから、並べると、アスベスト、アスベスト、人毛、毛皮、ガラスウール、ナイロン、レーヨン、鉛、絹、木、綿、麻、木材、人の皮膚、アセテート、アルミニューム、紙、鉄、銅、ニッケル、ゴム、ポリプロピレン、ポリエステル、アクリル、ポリウレタン、ポリエチレン、塩化ビニールである。
【００１５】
この例では、捕獲部３３として、ナイロンの網を使用し、帯電部３４としてポリエステルのマイクロファイバーを用いた。ここで、マイクロファイバーは、化学的に組成された８マイクロメートル以下の極細のナイロンやポリエステルなどの繊維で、木綿と同等以上の吸水性や通気性・保温性を持たせた素材である。繊維断面が鋭角や多角形の形状をなしているため、きわめて細かいチリを繊維表面に取り込む性能を持つ。この例ではブロック状、直方体であるが、別の例ではシート状である。
【００１６】
＜掃除プロセス＞
図２（ａ）から図２（ｄ）でゴミ４０を捕獲するしくみを説明する。
図２（ａ）は、モップ３０を床面２０に接触させる前である。帯電部３４と捕獲部３３とは、少なくとも支持部３６の中央で、離れている（接触していない）。
【００１７】
図２（ｂ）は、モップ３０を床面２０に接触させ、滑らし、摩擦を起こし、静電気を発生させる状態である。帯電部３４と捕獲部３３とは接触し摩擦により、正負逆の静電気が発生している。
図２（ｃ）は、図２（ｂ）で発生させた正負の静電気によりゴミ４０を収集する状態を示す。
【００１８】
図２（ｄ）は、モップ３０を床面２０から持ち上げた状態を示す。帯電部３４と捕獲部３３とは、少なくとも支持部３６の中央で、離れており、ゴミ４０が帯電部３４へ集められる。帯電部３４には、捕獲部３３より粘着性もあり、捕獲部３３からゴミ４０を引き取る。
図２（ｅ）は、最終、帯電部３４からのゴミ４０をはがすところを示す。複数の突起６１が設けられたところの上で、帯電部３４、捕獲部３３をあてて、滑らせることでゴミ４０を取り除くことができる。
【００１９】
＜詳細＞
図３（ａ）から図３（ｅ）で帯電部３４と捕獲部３３の掃除中の詳細を示す。それぞれは、一部分の拡大断面図である。
図３（ａ）は、捕獲部３３を床面２０に接触させる前である。帯電部３４と捕獲部３３とは、離れている（接触していない）。
【００２０】
図３（ｂ）は、捕獲部３３を床面２０に接触させ、滑らし、帯電部３４と捕獲部３３間に摩擦を起こして、床面２０から離した状態である。帯電部３４と捕獲部３３とに正帯電５１、負帯電５２が発生している。なお、材質により正負は逆になる場合がある。
図３（ｃ）は、図３（ｂ）の状態で床面２０に捕獲部３３を接触させ、滑らし、ゴミを探している状態である。帯電部３４と捕獲部３３とは、同一の下面となっており、正帯電５１と負帯電５２とが表面に現れている。
【００２１】
図３（ｄ）は、帯電部３４と捕獲部３３とで床面２０のゴミを取っている状態を示す。正帯電ゴミ４１を負帯電５２した捕獲部３３で取る。一方、負帯電ゴミ４２を正帯電５１した帯電部３４で取る。正負両方のゴミが取れる。
図３（ｅ）は、図３（ｄ）の後、捕獲部３３を床面２０から持ち上げた状態を示す。正帯電ゴミ４１、負帯電ゴミ４２を回収できている。
【００２２】
＜効果＞
捕獲部３３と帯電部３４との間で静電気が安定して発生し、ゴミを収集できる。床の材質に依存せず、掃除できる。
（実施の形態２）
図４（ａ）に、実施の形態２のモップ３０の断面図を示す。図４（ｂ）にその斜視図を示す。実施の形態１との差異は、捕獲部３３が、袋状、または、帯電部３４を覆うシート形状であること、また、支持部３６に捕獲部３３が、保持部３７で固定されていることである。このことで、捕獲部３３と支持部３６との間で帯電部３４が、移動可能に保持される。
【００２３】
捕獲部３３内である程度、帯電部３４が自由に動くことができる。動くことで、帯電部３４と捕獲部３３との間で静電気が発生する。床面２０との摩擦や、モップ３０を空中で振ることで、帯電部３４と捕獲部３３とが接触、移動し、静電気が発生できる。よって、プロセスとして、床面２０との摩擦なくすこともできるし、併用してもよい。
【００２４】
掃除プロセスは、図２（ｂ）の静電気発生時に図２（ｂ）のように床面２０との摩擦でもよいし、上記のように、モップ３０を空中で振ることでもよい。床面２０以外との接触でもよい。
捕獲部３３を開放し、帯電部３４を交換できるようにするとさらによい。
帯電部３４、捕獲部３３の素材など、記載しなかった事項は、実施の形態１と同じである。
記載しなかった事項は、実施の形態１と同じである。
【００２５】
（実施の形態３）
図５（ａ）に実施の形態３のモップ３０の斜視図を示す。実施の形態１、２との差異は、帯電部４５により捕獲部３３の内側面をこすること（摩擦すること）である。
【００２６】
＜構造＞
人が保持する取手３１と、先端部３２とからなる。先端部３２は、支持部３６と、帯電部４５と、捕獲部３３と、保持部３７とからなる。
支持部３６は、枠状となっており、開口を有し、その開口に捕獲部３３がセットされている。
【００２７】
帯電部４５は、板状のもので捕獲部３３との間で相対的に移動し、静電気を捕獲部３３へ起こすものである。帯電部４５と捕獲部３３とは、帯電系列で離れた２材料から形成されるのがよい。帯電部４５に設けられたガイド４６に従い、帯電部４５が動けるようになっている。
捕獲部３３は、実施の形態１，２と同じである。または、シート状のものである。
【００２８】
保持部３７は、捕獲部３３を支持部３６に固定するものである。また、捕獲部３３を取替えできるような構造としておくとよい。支持部３６は、枠状のもので、開口があり開口を塞ぐように捕獲部３３が設けられている。捕獲部３３の裏側に帯電部４５を配置する。
１例として、帯電部４５としてナイロン、捕獲部３３として、ポリエステルのマイクロファイバクロスが利用できる。実施の形態１の捕獲部３３と帯電部４５との関係と同様である。摩擦で静電気が起きやすければよい。
【００２９】
＜掃除プロセス＞
取手３１に力を加えて捕獲部３３を床面に固定し、取手３１にて帯電部４５を動かし捕獲部３３の表面を擦る。しかる後、取手３１に加えた力を緩めて捕獲部３３と帯電部４５を共に動かすことにより捕獲部３３の裏面にてゴミを吸着する。この場合、取手３１に加える力の大きさと方向により、捕獲部３３が床面を動く速さを加減して掃除条件を調整することが好ましい。
【００３０】
床との間で静電気を発生するのでなく、モップ３０自体で静電気を発生するので、安定して静電気を発生でき、掃除ができる。
その他、上記掃除プロセスと同じである。
【００３１】
＜捕獲部３３の変形＞
捕獲部３３は、実施の形態１，２と同様でもよいが、図５（ｂ）に示すものならさらによい。実施の形態１、２の捕獲部３３との差異は、繊維が複数種類あることである。縦に第１繊維１６１、横に、第２繊維１６２が均質に混じってセットされている。
【００３２】
第１繊維１６１としては、ナイロン、第２繊維１６２としては、ポリプロピレンが使用できる。両者が、摩擦帯電系列で、離れた範囲のものがよい。両者の摩擦によって、正負の静電気が帯びる。ゴミがどちらの静電気に帯びてもしっかり捕獲できる。床面２０（図３）に接触させて摩擦させてもよいし、帯電部４５（図５（ａ））と接触させて摩擦させてもよい。
【００３３】
帯電部４５は、摩擦帯電系列で、第１繊維１６１と第２繊維１６２との間の材質がよい。両者に正負の静電気を発生させやすい。
また、図５（ｃ）の平面図で示す捕獲部３３でもよい。捕獲部３３に、開口が広い部分として密部分３３１と、狭い部分として粗部分３３２がある。図では領域を分けているが、全体的に２つの部分が混在した方が、好ましい。開口の大きさにより、いろいろな大きさのゴミを収集できる。
他の実施の形態の捕獲部３３（図１など）も、上記の図５（ｂ）、図５（ｃ）のようになっていると、より好ましい。
【００３４】
記載しなかった事項は、実施の形態１、２と同じである。
捕獲部３３の表面に別のシート部材を設け、床との摩擦を調整してもよい。
（実施の形態４）
図６（ａ）に、実施の形態４のモップ３０の斜視図を示す。実施の形態１〜３との大きな差異は、捕獲部３３の保持方法である。説明しない事項は、実施の形態１と同様である。
【００３５】
＜構造＞
人が保持する取手３１と、先端部３２とからなる。先端部３２は、支持部３６と、第１帯電部４５ａと、第２帯電部４５ｂと、捕獲部３３と、からなる。支持部３６は、取手３１と繋がり、第１帯電部４５ａと第２帯電部４５ｂとを支持する。
【００３６】
捕獲部３３は、シート状で、輪のように端部がつながれている。捕獲部３３に２種類の素材（たとえば、ナイロンとポリプロピレン）を用いて、第１帯電部４５ａ、第２帯電部４５ｂの素材にアクリルを用いると、捕獲部３３には正負の静電気が帯電する。
第１帯電部４５ａと、第２帯電部４５ｂとで、捕獲部３３を支える。各帯電部は、円柱状であり、輪状の捕獲部３３の内部に位置し、捕獲部３３を伸ばすように支持する。
取手３１側の第１帯電部４５ａは、回転せず、第２帯電部４５ｂは回転するようにすれば、捕獲部３３が移動、回転しやすく、下記のプロセスにより静電気が発生しやすい。
【００３７】
＜掃除プロセス＞
床に捕獲部３３を接触させ、モップ３０を移動させることで、第２帯電部４５ｂが回転し、捕獲部３３が第１帯電部４５ａのまわりを摩擦しながら回る。第１帯電部４５ａと捕獲部３３との接触、摩擦で、静電気が発生する。その後、上記実施の形態と同様に、掃除をする。上記実施の形態と同様、ゴミは、捕獲部３３に保持される。手で第２帯電部４５ｂを回転させ、捕獲部３３に静電気を起こさせてもよい。
【００３８】
捕獲部３３と帯電部４５の材質は、上記同様、帯電列で離れた２つがよい。
＜回収部７０＞
さらに、このモップ３０に、図６（ｂ）に示す回収部７０を設けることができる。図６（ｂ）は、回収部７０の断面図を示す。回収部７０は、捕獲部３３の表面に取りけられ、内部のブラシ６２で捕獲部３３のゴミを捕獲部３３から取り除く。ゴミは、回収部７０にためられ、取り出し部４３から廃棄される。
【００３９】
回収部７０は、捕獲部３３のどの部分に取り付けてもよい。枝分かれした支持部３６の間に支えを設け取り付けてもよいし、片方の支持部３６に支えを設け取り付けてもよい。
＜効果＞
捕獲部３３が帯電部４５間で回り、静電気を発生するので、安定して静電気が発生する。回収部７０でゴミを回収するので回収しやすい。
記載しなかった事項は、実施の形態１〜３と同じである。
【００４０】
（実施の形態５）
図７（ａ）に、実施の形態６のモップ３０の斜視図を示す。図７（ｂ）は、実施の形態５のモップ３０の先端の長手方向の垂直方向の断面図を示す。図７（ｃ）は、実施の形態５のモップ３０の長手方向に垂直方向の断面図を示す。
実施の形態４と異なるのは、捕獲部３３と帯電部４５の構造である。説明しない事項は実施の形態４と同様である。
【００４１】
＜構造＞
人が保持する取手３１と、支持部５７と、取り出し部４３と、捕獲部３３と、第１保持部３７ａ、第２保持部３７ｂと、帯電部４５と、回転体７５と、を含む。
【００４２】
取手３１は、人が握り、操作する部分である。
支持部５７は、捕獲部３３など、全体を支えるもので、この場合、カバーも兼ねている。
取り出し部４３は、内部のゴミを取り出す部分である。
捕獲部３３は、ゴミを拾い集める部分である。この場合、柔軟な材質でシート状ある。
第１保持部３７ａは、捕獲部３３を支える部分である。
第２保持部３７ｂは、帯電部４５を支える部分である。
帯電部４５は、捕獲部３３と接触し、静電気を捕獲部３３に生じさせ、かつ、捕獲部３３からゴミを回収するところである。ブロック状である。
回転体７５は、第１保持部３７ａに配置され、床と接触することで、第１保持部３７ａを回転させる。この時、捕獲部３３は、柔軟な材質であり、床と触れると、曲がる。結果、回転体７５が床に触れ、回転を起こす。捕獲部３３の半径は、回転体７５の半径より大きい必要がある。ただし、捕獲部３３の硬度を上げることで、回転体７５が無くすこともできる。
支持部５７は、第１保持部３７ａ、第２保持部３７ｂを支える。また、取り出し部４３を有する部分である。
【００４３】
＜掃除プロセス＞
床に捕獲部３３を接触させ、モップ３０を移動させることで、回転体７５が回転し、捕獲部３３が第１保持部３７ａのまわりを回る。捕獲部３３と帯電部４５の接触で、静電気が発生する。その後、上記実施の形態と同様に、掃除をする。実施の形態４、５と同様、ゴミは、捕獲部３３に保持される。その後、帯電部４５でゴミが、捕獲部３３から除かれる。先端部３２の内部に貯められる。その後、取り出し部４３から、ゴミを取り出し廃棄する。
【００４４】
捕獲部３３として帯電列で離れた２つの素材を１つの捕獲部３３に用いる。または、別々の捕獲部３３として、並べて設置してもよい。正負の電荷が、それぞれ発生する。実施の形態５の捕獲部３３の２種類の材料を用いることができる。すなわち、捕獲部３３に２種類の素材（たとえば、ナイロンとポリプロピレン）を用いて、帯電部４５の素材にアクリルを用いると、捕獲部３３には正負の静電気が帯電する。
さらに、図７（ｄ）に示すように、捕獲部３３の先（床と接触する部分）を先割れ状にすると、床など清掃対象物を傷つけないようにできる。図７（ｄ）は、モップ３０の長手方向から見た図である。
また、捕獲部３３を図７（ｅ）に示すように、短冊状、線状のものが複数束ねられた形状にしてもよい。捕獲部３３間を空ける必要ない。図７（ｅ）は、モップ３０の長手方向に垂直方向から見た図である。
【００４５】
＜効果＞
内部の捕獲部３３と帯電部４５との間で、静電気を発生するので、安定して静電気が発生する。かつ、捕獲部３３でゴミ集め、帯電部４５で、そのゴミを、支持部５７へ送り、貯める。結果、静電気発生、ゴミ収集を、１つの機構で実施でき、コンパクトで協力な掃除道具である。
【００４６】
記載しなかった事項は、実施の形態１〜４と同じである。
（なお書き）
なお、各実施の形態を組み合わせることができる。図５（ｂ）、図５（ｃ）の捕獲部３３、図６（ｂ）の回収部７０は、実施の形態１〜４でも使用できる。上記掃除方法は家庭だけでなく、掃除業者も使用できる。特に、電気のない建物、部屋での掃除に欠かせない。電気が途絶えた災害時にも有効である。
【産業上の利用可能性】
【００４７】
以上のように、本発明の掃除道具は、掃除道具として利用できる。電気がない環境でも使用できる。個人、家庭、掃除業者、会社で使用できる。
【符号の説明】
【００４８】
１５  取手
１６  先端部
１７  保持部
２０  床面
３０  モップ
３１  取手
３２  先端部
３３  捕獲部
３４  帯電部
３６  支持部
３７  保持部
３７ａ  保持部
３７ｂ  保持部
４０  ゴミ
４１  正帯電ゴミ
４２  負帯電ゴミ
４３  取り出し部
４５  帯電部
４５ａ  第１帯電部
４５ｂ  第２帯電部
４６  ガイド
５７  支持部
５１  正帯電
５２  負帯電
６１  突起
６２  ブラシ
７０  回収部
７５  回転体
１００  モップ
１６１  第１繊維
１６２  第２繊維
３３１  密部分
３３２  粗部分
【図１】
2015204994.tif 000003
【図２】
2015204994.tif 000004
【図３】
2015204994.tif 000005
【図４】
2015204994.tif 000006
【図５】
2015204994.tif 000007
【図６】
2015204994.tif 000008
【図７】
2015204994.tif 000009
【図８】
2015204994.tif 000010